(57)【要約】【課題】本発明の目的は、遺体の肛門の封止作業を作業性良く、簡便に、的確に、且つ衛生的に行え、体液漏出を確実に防止できる遺体の処置装置を提供することにある。【解決手段】本発明は、肛門Ｋを封止する封鎖部材が４０径方向に縮小されて用意されており、肛門（直腸）の内径が広くなった部分に達すると内径による束縛が緩むことで、封鎖部材４０が径方向外側に拡がって、直腸の先端側（或いは肛門の奥側）を覆い封鎖するものであって、直腸からの体液の漏出を防止する封鎖本体を備え、封鎖本体４０は、径方向に縮小されて径方向に拡大することが抑制されて用意されており、肛門内を通過する際には縮小されたままで移動し、肛門の奥側の直腸に達して体腔の内径が拡がることによって径方向に拡大可能になっている。【選択図】図１
2010240195.tif 000002
【特許請求の範囲】
【請求項１】
遺体の肛門を封止するための封止装置であって、
該封止装置は、直腸からの体液の漏出を防止する封鎖部材を備え、
上記封鎖部材は、径方向に縮小されて径方向に拡大することが抑制されて用意されており、肛門内を通過する際には縮小されたままで移動し、肛門の奥側の直腸に達して体腔の内径が拡がることによって径方向に拡大可能になっていることを特徴とする遺体の肛門封止装置。
【請求項２】
請求項１記載の遺体の肛門封止装置において、
上記封鎖部材は、軸方向一方の端部に径方向中心部分に支点部を有し、該支点部から軸方向他方の端部に向かって延びる複数のフレーム部材を有し、各フレーム部材が伸縮及び／又は拡大・縮小可能な膜部材に接続されており、上記フレーム部材の他端部が上記支点部を中心にして径方向に拡大可能になっており、該フレーム部材が径方向に拡大した際に膜部材が傘のように拡がることを特徴とする遺体の肛門封止装置。
【請求項３】
請求項２記載の遺体の肛門封止装置において、
両端が開口され、先端に排出口を有する筒状本体を有する注入器を備え、
上記筒状本体の内部に上記封鎖部材が収容されており、
上記封鎖部材が上記筒状本体から押し出された際に、該該封鎖部材が径方向に拡大することを特徴とする遺体の肛門封止装置。
【請求項４】
請求項２記載の遺体の肛門封止装置において、
両端が開口され、先端に排出口を有する筒状本体と、該筒状本体に後端部側から摺動自在に挿入されているピストンとを有する注入器を備え、
上記筒状本体の内部に上記封鎖部材が収容されており、
上記封鎖部材が上記筒状本体から押し出された際に、該封鎖部材が径方向に拡大することを特徴とする遺体の肛門封止装置。
【請求項５】
請求項３又は４に記載の遺体の肛門封止装置において、
上記筒状本体の先端と後端との間の所定位置に半径方向外側に突出したストッパ部を有することを特徴とする遺体の肛門封止装置。
【請求項６】
請求項３〜５のいずれか１つに記載の遺体の肛門封止装置において、
上記筒状本体の先端の上記排出口は、上記封鎖部材と共に遺体の肛門に押し出される脱着自在の閉塞部材により閉塞されていることを特徴とする遺体の肛門封止装置。
【請求項７】
請求項１〜６のいずれか１つに記載の遺体の肛門封止装置において、
封鎖部材内に、体液吸収剤を有することを特徴とする遺体の肛門封止装置。
【請求項８】
請求項７に記載の遺体の肛門封止装置において、
上記体液吸収剤が高吸収性ポリマーを主成分とすることを特徴とする遺体の肛門封止装置。
【発明の詳細な説明】
【技術分野】
【０００１】
本発明は、遺体の肛門に体液の漏出を防止する封止部材を装填して封止することにより、肛門からの体液漏出を防止する封止装置に関する。
【背景技術】
【０００２】
一般に、ヒトや動物の死亡後には体腔各部の筋肉が弛緩し、胃液、肺液、腹水、排泄物等の体液が漏出することが多く、悪臭や、病原菌による感染の原因ともなっている。このため、例えば病院では、死亡確認後、遺体の口、鼻、耳、肛門、女性の膣等の体腔に多量のガーゼ、脱脂綿等を装填し、体液の漏出を防ぐことが行なわれており、また、事故や手術後の遺体の開口部にも同様な処置がとられている。
【０００３】
しかしながら、体腔へのガーゼ、脱脂綿等の装填作業の多くは、従業者や看護師等の手によって行われることが多く、その作業の煩雑さや不衛生さと同時に、ガーゼ、脱脂綿等は吸水能力が低いため、作業中もしくは作業後にしばしば体液が漏出してしまうという問題や、作業従事中にこの漏出物質による死後感染の可能性もあり、その解決が強く求められていた。
【０００４】
このようなことから、ガーゼ、脱脂綿等に代えて高吸水性樹脂粉末を口、耳、鼻等に装填することが知られており、例えば、注射器を使って口、耳、鼻等に高吸水性樹脂粉末を装填する方法等が知られている（特許文献１参照）。
【０００５】
また、近年、粉体でなくゼリーを用いることが提案されており、アルコールを主成分とするゼリーの中に高吸水性ポリマー粉体を多数分散させたものを用いる方法が知られている（特許文献２参照）。
【０００６】
ところが、このような高吸水性樹脂粉末やゼリー状体液漏出防止剤を装填しようとしても、流動性が悪いため、狭い体腔には装填することが困難である。また、体腔の体液を吸収して膨潤することで、体液の漏出を防止するので、異常に体液が多い遺体や、体液がすぐに漏れ出る位置にある場合等には、完全に防止できない可能性がある。
【０００７】
また、前記のような従来のゼリー状体液漏出防止剤のみを注入器具で肛門や膣に注入・装填した場合、死後の体腔各部の筋肉の弛緩により体液が漏出し易いという問題がある。
【０００８】
一方、肛門や膣を封止するための装置としては、例えば、該膨張封止部材を遺体の体腔内に挿入する挿入部材を備えた遺体の体腔閉塞装置であって、２層構造の繊維体を束ねて略円柱形状とした成形体からなる膨張封止部材が、遺体の体腔内に挿入されて、体液を吸収して膨張することにより体腔の通路を封止して体液の漏出を防止し、前記挿入部材は、体腔への挿入先端を有し且つ内部に前記膨張封止部材が摺動可能に配設された円筒部材と、前記円筒部材内を該円筒の軸方向に摺動可能に且つ該円筒部材内であって前記膨張封止部材の一方の端部に配設される円板状押部材と、前記円板状押部材の前記膨張封止部材に面した側とは反対側に設けられ、該円板状押部材を前記円筒部材の軸方向に摺動させるロッド部材とを有し、前記円筒部材は、前記挿入先端に、円筒中心軸に向けて湾曲して形成された複数の可撓性羽根部材を備えており、前記円筒部材の後端には、前記円板状押部材が該後端から抜け出ることの抵抗となる抵抗部が該円筒部材の内面に該円筒中心軸に向けて一体に形成されており、前記ロッド部材は、前記円筒部材の長さよりも長い遺体の体腔閉塞装置が開示されている（特許文献３）。
【０００９】
また、遺体の体腔内に挿入されて、体液を吸収して膨張してその場に留まって体腔の通路を封止し、体液の漏出を防止する体腔封止部材が、２層構造の繊維体を束ねて略円柱形状とした成形体から形成されているとともに、該成形体の少なくとも一方の端部が先端になるに応じて先細になるように形成されており、先細に形成された前記端部表面は、前記繊維体の末端が他の前記繊維体に接合されるように加工処理されている体腔封止部材が開示されている（特許文献４）。
【００１０】
しかしながら、特許文献３や特許文献４のように、２層構造の繊維体を束ねて略円柱形状とした成形体からなる膨張封止部材を使用したものでは、異常に体液が多い遺体や、体液がすぐに漏れ出る位置にある場合等には、漏れ出る可能性がある。
【先行技術文献】
【特許文献】
【００１１】
【特許文献１】特開平１０−２９８００１号公報（特許請求の範囲）
【特許文献２】特許第３５８６２０７号公報（特許請求の範囲）
【特許文献３】特開２００５−３２９１６１号公報（請求項１１）
【特許文献４】再公表２００６−０４３３０６号公報
【発明の概要】
【発明が解決しようとする課題】
【００１２】
前記したような遺体の肛門や膣からの汚物の漏出防止作業は、それに従事する従業者や看護師にとって衛生的にも院内感染の面からも好ましくない。また、遺体の搬送作業等に悪影響を与えるので、従業者や看護師の作業を簡素化し、且つ、簡便な装置で体腔内汚物を衛生的に、且つ、迅速、確実に封止することが強く求められている。
【００１３】
従って、本発明の目的は、前記したような従来技術の問題を解決し、遺体の肛門の封止作業を作業性良く、簡便に、的確に、且つ衛生的に行え、体液漏出を確実に防止できる遺体の処置装置を提供することにある。
【課題を解決するための手段】
【００１４】
前記目的を達成するために、本発明は、体液を吸収しなくても肛門を封止できる構成を有することを特徴とするものであって、特に、肛門を封止する封鎖部材が径方向に縮小されて用意されており、肛門（直腸）の内径が広くなった部分に達すると、内径による束縛が緩むことで、封鎖部材が径方向外側に拡がって、直腸の先端側（或いは肛門の奥側）を覆い封鎖することを特徴とする。
【００１５】
具体的には、請求項１の発明は、遺体の肛門を封止するための封止装置であって、この封止装置は、直腸からの体液の漏出を防止する封鎖部材を備え、この封鎖部材は、径方向に縮小されて径方向に拡大することが抑制されて用意されており、肛門内を通過する際には縮小されたままで移動し、肛門の奥側の直腸に達して体腔の内径が拡がることによって径方向に拡大可能になっていることを特徴とする
請求項２の発明は、請求項１記載の遺体の肛門封止装置において、上記封鎖部材は、軸方向一方の端部に径方向中心部分に支点部を有し、該支点部から軸方向他方の端部に向かって延びる複数のフレーム部材を有し、各フレーム部材が伸縮及び／又は拡大・縮小可能な膜部材に接続されており、上記フレーム部材の他端部が上記支点部を中心にして径方向に拡大可能になっており、該フレーム部材が径方向に拡大した際に膜部材が傘のように拡がることを特徴とする。
【００１６】
請求項３の発明は、請求項２記載の遺体の肛門封止装置において、両端が開口され、先端に排出口を有する筒状本体を有する注入器を備え、上記筒状本体の内部に上記封鎖部材が収容されており、上記封鎖部材が上記筒状本体から押し出された際に、該該封鎖部材が径方向に拡大することを特徴とする。
【００１７】
請求項４の発明は、請求項２記載の遺体の肛門封止装置において、両端が開口され、先端に排出口を有する筒状本体と、該筒状本体に後端部側から摺動自在に挿入されているピストンとを有する注入器を備え、上記筒状本体の内部に上記封鎖部材が収容されており、上記封鎖部材が上記筒状本体から押し出された際に、該封鎖部材が径方向に拡大することを特徴とする。
【００１８】
請求項５の発明は、請求項３又は４に記載の遺体の肛門封止装置において、上記筒状本体の先端と後端との間の所定位置に半径方向外側に突出したストッパ部を有することを特徴とする。
【００１９】
請求項６の発明は、請求項３〜５のいずれか１つに記載の遺体の肛門封止装置において、該筒状本体の先端の該排出口は、上記封鎖部材と共に遺体の肛門に押し出される脱着自在の閉塞部材により閉塞されていることを特徴とする。
【００２０】
請求項７の発明は、請求項１〜６のいずれか１つに記載の遺体の肛門封止装置において、封鎖部材内に、体液吸収剤を有することを特徴とする。
【００２１】
請求項８の発明は、請求項７に記載の遺体の肛門封止装置において、上記体液吸収剤が高吸収性ポリマーを主成分とすることを特徴とする。
【発明の効果】
【００２２】
請求項１の発明によれば、素早く肛門を封鎖でき、体液の漏出を防止できる。特に、肛門の筋肉が弛緩しても確実に体液の漏出を防止できる。
【００２３】
請求項２の発明によれば、膜部材が傘のように拡がるので、素早く且つ確実に体腔を封鎖できる。
【００２４】
請求項３の発明によれば、封鎖部材を軽い力で無理なく容易装填でき、確実に所定位置に封鎖部材を装填することができる。
【００２５】
請求項４の発明によれば、さらに、確実に封鎖部材を軽い力で無理なく容易装填でき、所定位置に封鎖部材を装填することができる。
【００２６】
請求項５の発明によれば、また、筒状本体の所定位置に半径方向外側に突出したストッパ部を有しているため、常に一定した施用部位に確実に筒状体の先端が位置して封鎖部材を装填することができる。
【００２７】
請求項６の発明によれば、筒状本体の先端の排出口は、上記封鎖部材と共に遺体の肛門に押し出される脱着自在の閉塞部材により閉塞されているため、閉塞部材を取り外すことなくそのまま封鎖部材と共に体腔内に装填することができる。
【００２８】
請求項７の発明によれば、更に体液吸収剤を有するので、体液の漏出を確実且つ素早く防止できる。
【００２９】
請求項８の発明によれば、高吸収性ポリマーからなる体液吸収剤であり、体液の漏出を確実に防止できる。それと共に、高吸収性ポリマー自体の漏出も防止できる。
【００３０】
以上のように、本発明によれば、遺体の肛門の封止作業を作業性良く、簡便に、且つ衛生的に行える。
【図面の簡単な説明】
【００３１】
【図１】図１は、本発明の実施形態１に係る肛門封止部材を肛門に挿入した状態を示す概略断面図である。
【図２】図２は、図１の状態からの次の使用状態を示す概略断面図である。
【図３】図３は、図２の状態からの次の使用状態を示す概略断面図である。
【図４】図４は、図３の状態からの次の使用状態を示す概略断面図である。
【図５】図５は、本発明の実施形態２を示す図１相当図である。
【図６】図６は、本発明の実施形態２を示す図２相当図である。
【図７】図７は、本発明の実施形態２を示す図４相当図である。
【図８】図８は、本発明の実施形態３を示す図５相当図である。
【図９】図９は、本発明の実施形態３を示す図６相当図である。
【図１０】図１０は、本発明の実施形態４に係る肛門封止部材を挿入した状態を示す概略断面図である。
【図１１】図１１は、本発明の実施形態４を示す図５相当図である。
【図１２】図１２は、本発明の実施形態４を示す図６相当図である。
【図１３】図１３は、本発明の実施形態５に係る肛門封止部材を挿入する状態を示す概略断面図である。
【図１４】図１４は、本発明の実施形態５に係る肛門封止部材を肛門の奥まで挿入した状態を示す概略断面図である。
【図１５】図１５は、本発明の実施形態５に係る肛門封止部材を直腸の先端（入口側）まで挿入した状態を示す概略断面図である。
【図１６】図１６は、本発明の実施形態６を示す図１相当図である。
【図１７】図１７は、本発明の実施形態７を示す図１３相当図である。
【発明を実施するための形態】
【００３２】
以下、本発明の実施形態を図面に基づいて詳細に説明する。以下の好ましい実施形態の説明は、本質的に例示に過ぎず、本発明、その適用物或いはその用途を制限することを意図するものでは全くない。なお、以下の各実施形態において、他の実施形態と同様の機能を有する構成要素については同一の符号を付して説明を省略する。
【００３３】
（実施形態１）
図１〜図４に基づいて、本発明の実施形態１を説明する。図１〜図４に示されるように、実施形態１に係る肛門封鎖止部材１０は、いずれも高密度ポリエチレン、ポリプロピレン、ポリエステル、ポリアミド等のプラスチックから作製された筒状本体１２と、ピストン２０と、筒状本体１２の先端排出口１３を脱着自在に閉塞する閉塞部材３０とから構成された注入器１１を有する。注入器１１は、全体的に透光性を有し、筒状本体１２内に収容されている封鎖部材４０がある程度視認できるように構成されているが、中が見えないように着色されていても構わず、また他の任意のプラスチック材料から作製することもできる。
【００３４】
筒状本体１２は、先端に排出口１３を有する円筒状部材からなり、その外周に一体に形成されたストッパ部１４を有する。筒状本体１２内には、封鎖部材４０が配置されている。筒状本体１２の先端の排出口１３は、円筒体を切断した端面のように円形である。筒状本体１２は後端部に、指を引っ掛けるための半径方向外側に突出した一対の鍔部（図示省略）を設けても良い。また、筒状本体１２の後端部近傍の内周面には、僅かに内方に突出したリング状の突条部（図示省略）が形成され、簡単に抜けることを防止している。
【００３５】
封鎖部材４０は、図１〜図４に示すように、径方向中心に設けた支点部４１と、支点部４１に一端部が接続された複数のフレーム部材４２とを備える。このフレーム部材４２が、図２に示すようにフリーな状態（径方向の拡大の抑制が解除された状態）では、支点部４１を中心として、フレーム部材４２の他端部が径方向に拡がる。このフレーム部材４２には膜部材４３が接合されている。従って、図２に示すように、支点部４１を中心としてフレーム部材４２の他端部が径方向に拡がった際には、膜部材４３が傘を拡げたような状態になる。
【００３６】
また、ピストン２０は、上記筒状本体１２に、後端部側から摺動自在に挿入された棒部材２１を備える。棒部材２１の先端部２２が、支点部４１に接続・分離可能になっている。ピストン２０の長さは、内容物の封鎖部材４０を全て押し出せるように、筒状本体１２の長さよりも長くなるように設計されている。
【００３７】
次に、実施形態１の肛門封止部材１０の使用状態を、図１〜図４に基づいて説明する。封鎖部材４０は、筒状本体１２の排出口近傍に収納されている。このとき、封鎖部材４０のフレーム部材４２は、径方向に縮小されて筒状本体１２内に収納されている。そして、支点部４１に棒部材２１の先端部２２が、例えば軽い嵌め合い状態で接続されている。筒状本体１２の排出口１３は閉塞部材３０で覆われている。
【００３８】
このように用意された肛門封止部材１０を、図１に示すように、閉塞部材３０を先にして遺体の肛門Ｋに挿入し、ストッパ部１４が肛門の露出部に接触した状態で挿入を中止する。このときに、肛門封止部材１０の閉塞部材３０が、肛門Ｋの奥側になる直腸の先端部分に位置するような状態となる。
【００３９】
次に、図２に示すように、ピストン２０の棒部材２１を遺体の内部（肛門の奥側）に更に押し込む。すると、先端の閉塞部材３０が筒状本体１２から外れて、直腸内に持ち込まれる。それと共に、封鎖部材４０が移動して、筒状本体の排出口１３から出される。その結果、封鎖部材４０のフレーム部材４２を縮小した状態に維持していた筒状本体１２の拘束が無くなり、フレーム部材４２が直腸内壁に接触するようになる。直腸内壁は、フレーム部材４２を縮小した状態に拘束する機能はないので、フレーム部材４２の他端部が傘のように、径方向に拡がる。その結果、膜部材４２が傘のように拡がる。
【００４０】
この状態から、図３に示すように、棒部材２１を肛門Ｋから引き抜く。すると、フレーム部材４２（膜部材４３）が傘のように拡がっているので、直腸の内壁に接触して、肛門Ｋの奥側に引っ掛かった状態になる。
【００４１】
そして、図４に示すように、棒部材２１を引いて支点部４１から分離させるとともに、筒状本体１２も肛門Ｋから引き抜く。拡がった膜部材４３が肛門の奥側（直腸の入口側）に引っ掛かって止めることで、体液の漏出を防止する。
【００４２】
この実施形態１では、肛門から漏出する体液の量の多少に関係なく、肛門を封止できる。
【００４３】
なお、閉塞部材３０と封鎖部材４０との間に、高吸水性ポリマー等の吸水材を配置しても良い。
【００４４】
なお、死後、硬直するまでに肛門に外径の大きな筒状注入器（シリンジ）を挿入すると、肛門管が大きく開き、収縮するまでに時間を要するので体液の漏出の原因になる。また、筒状本体１２の外径は細いほど挿入し易く、使用が簡便である。従って、筒状本体１２の外径は約１０〜２５ｍｍ、より好ましくは約１０〜１５ｍｍ、内径は約８〜２３ｍｍの範囲内に設定することが好ましい。筒状本体１２の先端からストッパ部１４までの距離は約１５〜５０ｍｍの範囲内に設定することが好ましく、ストッパ部１４の筒状本体１２の外周面からの高さは、容易に肛門で止まるように約５〜３０ｍｍの範囲内に設定することが好ましい。なお、ストッパ部１４は、必ずしも本実施形態のようにする必要はなく、注入器１０を肛門Ｋへ所定長さだけ挿入した位置でそれ以上の挿入を行わないことを確保できる部材であればよく、例えば円板状であってもよい。
【００４５】
前記半球キャップ状の閉塞部材３０の材質としては、耐薬品性があり、安価なプラスチック材料、特にポリエチレン（ＰＥ）、ポリプロピレン（ＰＰ）、ポリアミド（ＰＡ、別名：ナイロン）等の熱可塑性プラスチックが好ましい。また、合成繊維や天然繊維の成型不織布や、高吸水性樹脂繊維等の成型物等も好適に用いることができる。肛門封止部材１０を肛門Ｋに挿入する際の挿入抵抗を軽減するために、閉塞部材４０に潤滑剤を塗布してもよい。
【００４６】
（実施形態２）
実施形態２について、図５〜図７に基づいて説明する。実施形態２は、実施形態１に対して封鎖部材４０のフレーム部材４２の拡大する端部を逆にしたものであり、それ以外の構成は実施形態１と同様である。
【００４７】
実施形態２では、ピストン２０の棒部材２１の先端部に円板形状のプレート２３を設けて、封鎖部材４０を筒状本体１２から滑らかに押し出すことができるようにしている。
【００４８】
実施形態２では、封鎖部材４０を筒状本体１２から押し出した際に、封鎖部材４０のフレーム部材４２が傘のように拡がり、速やかに直腸と肛門との境界部分に引っ掛かる状態になる。従って、ピストン２０と筒状本体１２とを肛門Ｋから抜くだけで、肛門を封止できる。
【００４９】
この実施形態２では、実施形態１と同様に、閉塞部材３０と封鎖部材４０との間に、高吸水性ポリマー等の吸水材を配置しても良い。また、封鎖部材４０のフレーム部材４２の中に高吸水性ポリマー等の吸水材を配置しても良い。
【００５０】
（実施形態３）
実施形態３について、図８及び図９に基づいて説明する。実施形態３は、実施形態２に対してピストンを省略したものであり、それ以外の構成は実施形態２と同様である。即ち、注入器１１の筒状本体１２の排出口１３に近接して封鎖部材４０を配置して用意し、排出口１３を閉塞部材３０で閉塞して用意する。
【００５１】
この状態で、肛門Ｋに注入器１１を挿入する。ストッパ部１４が肛門Ｋの露出部に接触するか近接した位置になると挿入を中断する。この状態から、図８及び図９に示すように、筒状本体１２内に作業者の指を挿入して、閉塞部材３０と封鎖部材４０とを直腸内に押し込む。閉塞部材３０は筒状本体１２の排出口１３から外れて直腸内に入り、封鎖部材４０は筒状本体１２から出て直腸内に入る。この後、指を引き抜くとともに筒状本体１２を肛門から引き抜く。これによって、図７と同様に、封鎖部材４０を肛門Ｋの奥側（直腸の前側）に傘が開いたような状態で位置させることができる。この実施形態３では、ピストン２０の代わりを作業者の指で代用するようにしている。
【００５２】
（実施形態４）
実施形態４について、図１０〜図１２に基づいて説明する。実施形態４は、実施形態３に対して、封鎖部材４０及び筒状本体１２を用意し、肛門に挿入するところまでは同じである。即ち、注入器１１の筒状本体１２の排出口１３に近接して封鎖部材４０を配置して用意し、排出口１３を閉塞部材３０で閉塞して用意する。実施形態３と異なるのは、実施形態３では、作業者の指で封鎖部材４０を筒状本体１２から押出していたが、この実施形態４では、実施形態２のようなピストン２０を別途用意しておき、このピストン２０を後から筒状本体１２内に挿入して封鎖部材４０を押出すようにしている。
【００５３】
実施形態４では、ピストン２０のない状態で、図１０に示すように、肛門Ｋに肛門封止部材１０を押し込む。そして、ストッパ部１４が肛門Ｋの露出部に接触するか近接した位置で挿入を中断する。この状態から、図１１及び図１２に示すように、別途用意したピストン２０を筒状本体１２内に挿入して、閉塞部材３０と封鎖部材４０とを直腸内に押し込む。閉塞部材３０は筒状本体１２の排出口１３から外れて直腸内に入り、封鎖部材４０は筒状本体１２から出て直腸内に入る。この後、ピストン２０を引き抜くとともに筒状本体１２を肛門から引き抜く。これによって、図７と同様に、封鎖部材４０を肛門Ｋの奥側（直腸の前側）に傘が開いたような状態で位置させることができる。
【００５４】
この実施形態４では、ピストン２０を用いたが、この構造に限られるものではなく、筒状本体１２内から封鎖部材４０を押出すことができれば良いものであり、単なる棒部材等の他の構造でも良い。
【００５５】
（実施形態５）
実施形態５について、図１３〜図１５に基づいて説明する。実施形態５は、実施形態１〜実施形態４と異なるのは、注入器１１を用いない点である。即ち、注入器１１を用いるのではなく、封鎖部材４０を径方向に縮小した状態に保持しておき、直接肛門Ｋ内に押し込んでいくようにしたものである。この実施形態５では、注入器１１を用いないで済むので、低コスト化できる。また、指の感触で、挿入状態を体感できる。この実施形態５では、肛門の内径に規制されることで封鎖部材４０が拡径することが抑制され、肛門の奥側の直腸になると、内径が緩くなるので、この内径に応じて封鎖部材４０が拡径することができるようになっている。
【００５６】
なお、場合によっては、例えば拡径を規制する紐のようなものを設け、図１５の位置になった時点でこの紐を引いて拡径を許容するようにすることで、封鎖部材４０が拡径するようにすることも可能である。
【００５７】
（実施形態６）
実施形態６について、図１６に基づいて説明する。実施形態６は、実施形態１と異なるのは、実施形態１の閉塞部材３０の代わりに、筒状本体１２の先端に一体に、複数の羽からなる先細部１５を設けたものである。この先細部１５については、特許第４１２９４７４号公報に記載されているものであり、詳細な説明は省略する。
【００５８】
この実施形態６では、閉塞部材３０を別途用意する必要が無く、部品点数を低減でき、低コスト化できる。
【００５９】
（実施形態７）
実施形態７について、図１７に基づいて説明する。実施形態７では、実施形態５と同様に、注入器１１を用いることなく、封鎖部材を直接肛門に作業者の指等を使って挿入するものである。実施形態７が実施形態５と異なるのは、封鎖部材４０の方向が逆になっている点である。実施形態７の封鎖部材４０は、挿入する先端側が拡径する状態になっているために、このままでは肛門の内壁に接触した際に挿入抵抗になって挿入することが難しい。そのために、先端に挿入ガイド１６を設けている。この挿入ガイド１６に紐２４が接続されており、所定位置まで挿入した時点で、紐２４を引くことで封鎖部材４０が拡径できるようになっている。
【００６０】
上記実施形態でも、実施形態１と同様に、高吸収性ポリマー等の吸収材を一緒に使用するようにしても良い。
【００６１】
（他の実施形態）
本発明では、ストッパ部は、直接筒状本体の外周に一体の設けても良く、また、カバー部材のようなものを筒状本体の外周に被せるようにして、このカバー部材にストッパ部を設けても良い。
【００６２】
筒状本体及び又はカバー部材を断面多角形の外形にしたり着色したりすることにより、病院で看護師が一般の注射器と間違えずに容易に判別できる、或いはまた施用場所を鮮明に把握できるようにすることができる。
【００６３】
本発明に係る遺体の肛門を封止するための封止装置に体液吸収剤を追加して用いる場合には、高吸水性樹脂粉末もしくはそれを圧縮整形したもの、又は高吸水性樹脂粉末を繊維等の充填材と共に圧縮整形したもの、或いは高吸水性樹脂粉末を含有するゼリー状の体液漏出防止剤や、吸水性繊維状充填材等を、単独で又は組み合わせて用いることができる。体液吸収剤が高吸水性樹脂粉末（ポリマー）を含有もしくは保持する場合、体液及び汚物中の液を吸収した高吸水性樹脂粉末は膨脹し（吸水性繊維状充填材と併用した場合には、その一部は吸水性繊維状充填材に浸透し）、固形状のゲルになるので、体液及び汚物の漏出を確実に防止することができる。
【００６４】
さらに、前記肛門を封止するための封止装置と、遺体の口や鼻から挿入してのど部に体液漏出防止剤を注入・装填するための処置装置とを備えるセット品として使用できるようにしても良い。その際には、更に好ましくは耳孔及び／又は鼻孔から体液の漏出を防ぐための繊維製封止材とを備えるようにしても良い。このようにすれば、処置具を全て備えた遺体処置キットとして構成できるので、持ち運びが簡単になり、遺体処置をより迅速に行うことが可能になる。さらに、耳孔及び／又は鼻孔から体液の漏出を防ぐための繊維製封止材や口中装填用の繊維製封止材も備えていることにより、死後の体腔各部の筋肉の弛緩による体液漏出もより確実に防止することができる。
【００６５】
更には、遺体の化粧品、消毒剤、清浄部材等もセットしたキットとして構成できるようにしても良い。
【００６６】
遺体としては、人体に限らず、犬、猫等のペット等の動物も含むものである。
【産業上の利用可能性】
【００６７】
本発明は、遺体の肛門の封止作業を作業性良く且つ簡便に衛生的に行えるので、極めて有用で産業上の利用可能性が高い。
【符号の説明】
【００６８】
１０      肛門封止部材
１１      注入器
１２      筒状本体
１３      排出口
１４      ストッパ部
１５      先細部
１６      挿入ガイド
２０      ピストン
２１      棒部材
２３      プレート
２４      紐
３０      閉塞部材
４０      封鎖部材
４１      支点部
４２      フレーム部材
４３      膜部材
【図１】
2010240195.tif 000003
【図２】
2010240195.tif 000004
【図３】
2010240195.tif 000005
【図４】
2010240195.tif 000006
【図５】
2010240195.tif 000007
【図６】
2010240195.tif 000008
【図７】
2010240195.tif 000009
【図８】
2010240195.tif 000010
【図９】
2010240195.tif 000011
【図１０】
2010240195.tif 000012
【図１１】
2010240195.tif 000013
【図１２】
2010240195.tif 000014
【図１３】
2010240195.tif 000015
【図１４】
2010240195.tif 000016
【図１５】
2010240195.tif 000017
【図１６】
2010240195.tif 000018
【図１７】
2010240195.tif 000019